(57)【特許請求の範囲】
【請求項１】
ケース本体内に、収納した印字テープが巻回されたテープカセットを着脱可能に収納する収納部と、テープカセットから印字テープを引き出し搬送する搬送部と、印字部と、前記本体ケースから排出する印字テープを切断するテープカッタ装置とを備える一方、前記ケース本体に連設した蓋カバー体にて、前記テープカセットの収納部を開閉可能に構成してなるテープ印字装置において、
前記テープカッタ装置における操作部を、前記蓋カバー体の側面に隣接するように本体ケースの側部に配置し、
前記蓋カバー体の後端部には、当該蓋カバー体の開閉回動と一体的に姿勢及び配置位置が変動する規制体が設けられ、
前記操作部にはその下面側に開放する凹所と前記操作部の後端側の支柱部とが形成され、
前記蓋カバー体を閉じた状態で前記操作部を操作するとき、前記凹所内に前記規制体が嵌まり込んで前記操作部を可動できるように構成され、
前記蓋カバー体を開いた状態では、前記規制体は前記操作部における前記支柱部の下端と対峙して、前記操作部の下降移動を阻止するように構成されていることを特徴とするテープ印字装置。
【請求項２】
前記テープカッタ装置は、前記本体ケースにおける印字テープの排出口の近傍に配置され、固定刃と、この固定刃に対して接離する鋏状の可動刃と、この可動刃を作動させる前記操作部とにより構成し、前記操作部は前記可動刃を作動させる作動レバーに装着されていることを特徴とする請求項１に記載のテープ印字装置。
【請求項３】
前記規制体と蓋カバー体とを一体的に形成したことを特徴とする請求項１または２に記載のテープ印字装置。
【発明の詳細な説明】
【０００１】
【発明の属する技術分野】
本発明は、巻回してなる印字テープが収納されたテープカセットが、ケース本体に対して交換可能であって、文字付テープを作成するテープ印字装置に係り、より詳しくは、ケース本体から引き出される印字テープを切断するためのテープカッタ装置を備えたテープ印字装置の改良に関するものである。
【０００２】
【従来の技術】
従来、この種のテープ印字装置は、本出願人が先に提案した、特開平７−８９１５９号公報に開示したように、テープを搬送する搬送手段と、搬送中のテープに印字する印字ヘッドとプラテンと、印字後のテープを切断する手動式のテープカッタ装置とを備えたテープ印字装置において、前記搬送手段への動力伝達部とテープカッタ装置との間に、テープの搬送動作中にテープカッタ装置の作動を阻止するため連動部材を設けた構成が提案された。
【０００３】
【発明が解決しようとする課題】
しかしながら、蓋カバー体を開いた状態のときにユーザの指が触れ得る箇所に前記テープカッタ装置が設置されている場合には、前記構成では、前記搬送手段の作動・非作動の如何に拘らず、テープカセットを収納した箇所を覆うための蓋カバー体を開閉することができるため、蓋カバー体を開いたときに、ユーザがテープカッタ装置に触れた状態で誤って該テープカッタ装置を作動させると、指が刃部に挟まれるおそれがあった。
【０００４】
本発明は前記従来の問題点を解消するためになされたものであり、蓋カバー体を開いた状態では、テープカッタ装置が作動できないようにしたテープ印字装置を提供することを目的とする。
【０００５】
【課題を解決するための手段】
前記目的を達成するため、請求項１に記載の発明のテープ印字装置は、ケース本体内に、収納した印字テープが巻回されたテープカセットを着脱可能に収納する収納部と、テープカセットから印字テープを引き出し搬送する搬送部と、印字部と、前記本体ケースから排出する印字テープを切断するテープカッタ装置とを備える一方、前記ケース本体に連設した蓋カバー体にて、前記テープカセットの収納部を開閉可能に構成してなるテープ印字装置において、前記テープカッタ装置における操作部を、前記蓋カバー体の側面に隣接するように本体ケースの側部に配置し、前記蓋カバー体（の後端部）には、当該蓋カバー体の開閉回動と一体的に姿勢及び配置位置が変動する規制体が設けられ、前記操作部にはその下面側に開放する凹所と前記操作部の後端側の支柱部とが形成され、前記蓋カバー体を閉じた状態で前記操作部を操作するとき、前記凹所内に前記規制体が嵌まり込んで前記操作部を可動できるように構成され、前記蓋カバー体を開いた状態では、前記規制体は前記操作部における前記支柱部の下端と対峙して、前記操作部の下降移動を阻止するように構成されているものである。
【０００６】
そして、請求項２に記載の発明は、前記テープカッタ装置が前記本体ケースにおける印字テープの排出口の近傍に配置され、固定刃と、この固定刃に対して接離する鋏状の可動刃と、この可動刃を作動させる前記操作部とにより構成し、前記操作部は前記可動刃を作動させる作動レバーに装着されているものである。
【０００８】
さらに、請求項３に記載の発明は、請求項１または２に記載のテープ印字装置において、前記規制体と蓋カバー体とを一体的に形成したものである。
【０００９】
【発明の実施の形態】
次に、本発明を具体化した実施形態に基づいて図面を参照しつつ詳細に説明する。図１はカセット収納部８の蓋カバー体６を閉じた状態のテープ印字装置１の平面図、図２はテープ印字装置１の左側面図、図３は蓋カバー体６を開いた状態の部分側面図、図４は操作部を断面で示した部分背面図、図５（ａ）は蓋カバー体を開いた状態の要部平面図、図５（ｂ）は同じく要部側面図である。
【００１０】
図１において、テープ印字装置１のケース本体１ａの上面には、文字等のキャラクタを複数行に渡って入力し、文書データ（コードデータ）からなるテキストを作成するための文字入力キー、テキストの印字を指令する印字キー、液晶ディスプレイ３上でカーソルを上下、左右に移動させるカーソルキー、及び、改行指令や各種処理の実行、選択を指令する制御キー等が設けられたキーボード部２と、キーボード部２にて入力された文字等を表示する液晶ディスプレイ３及びテープカセット５を収納するカセット収納部８が配設され、このカセット収納部を覆うための蓋カバー体６がケース本体１ａの後端に開閉可能に枢支されている。そして、図１に示すように、カセット収納部８の左側には、印字済みのテープがケース本体１ａの排出口１ｂから排出される箇所で切断するためのテープカッタ装置７が配置され、手動の操作部としての押し操作ボタン７ａがケース本体１ａの左側面の後寄り部位に配置されている。
【００１１】
また、カセット収納部８には、ケース本体１ａ内に配置のテープ送りモータから適宜の駆動機構（共に図示せず）を介して回転駆動されるテープ送りローラ軸９とリボン巻取軸１０とが立設されている。但し、このリボン巻取軸１０は、インクリボンを内蔵し、インクリボンを介してフィルムテープ上に文字等の印字を行なう際に使用される従来のテープカセットにおいてインクリボンを巻取るためのものであるが、本実施形態に係るテープカセット５では、インクリボン及びその巻取りスプールが内臓されておらず、インクリボンを使用することなく文字等の印字が可能な感熱発色性の印字テープＴを使用することから、リボン巻取軸１０は印字テープＴの送り動作には関与しない。
【００１２】
インクリボン巻取軸１０の斜め前方（キーボード部２側）に位置する前記テープ送りローラ軸９は、テープカセット５におけるテープ送りローラ１１に嵌合するように立設されている。更に、カセット収納部８の前方には、印字テープＴ上に文字等の印字を行なうサーマルヘッド１２が固設されている。また、前記印字テープＴを前記サーマルヘッド１２及びテープ送りローラ１１に押しつけるためのプラテンローラ１３ａ及びテープ送り補助ローラ１３ｂがローラホルダ（図示せず）に装着され、該ローラホルダは、テープカセット５に対して接離可能に配置されている。印字されたテープＴはケース本体１ａの左側面の排出口１ｂから外部に排出される。
【００１３】
カセット収納部８の後部（図１の右寄り後方）には、図示しないが７個のマイクロスイッチ等の機械的センサを有して、テープの種類やテープ幅を検出するためのテープ種類検出手段（図示せず）が設けられており、このテープ種類検出手段はテープカセット５に設けられているテープ被検出部及びテープユニットにおけるテープ特定部と協働してテープカセット５内に収納されている印字テープＴのテープ幅やテープの種類（テープの色や透明半透明、発色可能な文字等の色、テープ材質等の別）を検出するものである。
【００１４】
なお、別の種類のテープカセットとして、図示しないが当該テープカセット内に所定のテープとインクリボンとを巻回して収納したものを使用することができ、この場合は、前記サーマルヘッド１２の箇所でテープとインクリボンとが合わさった状態で搬送されながら印字動作を行い、インクリボンは前述のようにリボン巻取り軸に巻き取られる一方、印字されたテープのみが前記排出口１ｂから排出される。
【００１５】
なお、このように構成されるテープ印字装置１の制御は、ＣＰＵ、ＲＯＭ、ＣＧＲＯＭ、及び、ＲＡＭ、バス等からなるマイクロコンピュータ等の電子式制御装置により実行される。ＲＯＭは各種のプログラムを記憶させておくものであり、印字制御プログラム等のテープ印字装置１の制御上必要な各種のプログラムが記憶されている。そして、ＣＰＵはかかるＲＯＭに記憶されている各種のプログラムに基づいて各種の演算を行なうものである。また、ＲＯＭには、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータがイメージバッファ上に展開される。
【００１６】
また、ＣＧＲＯＭにはキーボード部２から入力される各キャラクタに対応するドットパターンデータが記憶されており、ドットパターンデータがＣＧＲＯＭから読み出され、そのドットパターンデータに基づいて液晶ディスプレイ７にドットパターンが表示される。更に、ＲＡＭはＣＰＵにより演算された各種の演算結果を一時的に記憶させておくためのものであり、ＲＡＭにはテキストメモリ、イメージバッファ、印字バッファ等の各種のメモリが設けられている。
【００１７】
キーボード部２及び印字テープＴの幅を検出するための前記テープ幅検出部が入出力インターフェイスを介して、また、液晶ディスプレイ３、ディスプレイコントローラが入出力インターフェイスを介してそれぞれ前記制御装置に接続されており、キーボード部２の文字入力キーを介して文字等が入力された場合、その文書データがテキストメモリに順次記憶されていくとともに、ドットパターン発生制御プログラム及び表示制御プログラムに基づいて、前記入力された文字等に対応するドットパターンが液晶ディスプレイ３上に表示される。また、サーマルヘッド１２は図示しない駆動回路を介して駆動され、イメージバッファから印字バッファに転送されたドットパターンデータの印字を行い、これと同期してテープ送りモータは駆動回路を介して印字テープＴの送り制御を行なうものである。
文字等の印字された印字テープＴは、テープ送りローラ１１とテープ送り補助ローラ１３ｂとの協働により、テープ排出口１ｂからテープ印字装置１の外部に排出される。
【００１８】
次に、図１〜図６に基づいて、前記のように構成されるテープ印字装置１におけるテープカッタ装置７の構成について説明する。本発明に係るテープカッタ装置７は、固定刃１５と可動刃１６と、該可動刃１６を動かすための操作部としての押し操作ボタン７ａとからなる鋏状のものであって、実施形態では、図１に示すように、平面視でケース本体１ａのカセット収納部８内のテープカセット５の左側部と、縦長で上方開放状のテープ排出口１ｂとの間に配置されており、固定刃１５はその自由端側が上方向となるようにして刃部が略垂直状に立設されている。また、固定刃１５に対する可動刃１６の回動中心軸１７がケース本体１ａの底側寄りに配置されている（図２及び図３参照）。前記可動刃１６の作動レバー１９はケース本体１ａの後方に延び、作動レバー１９の後端に、前記押し操作ボタン７ａが固着されている。この押し操作ボタン７ａは、図１、図２及び図４に示すように、ケース本体１ａの左側部の後端であって、蓋カバー体６の左側面における後述する支持アーム２０の外側面に隣接するように配置されている。
【００１９】
そして、この押し操作ボタン７ａを、図示しない捩じりばね等の付勢バネの弾性力に抗して下方に押すと、固定刃１５の刃部に可動刃１６の刃部が咬み合わさるように接近して、印字テープＴを剪断（切断）する。押し操作ボタン７ａへの押し力を解除すると、前記付勢ばねにより、図２、図３、図５（ｂ）及び図６（ｂ）に示すように、固定刃１５に対して可動刃１６が所定角度開くようになっている。そして、常には、押し操作ボタン７ａが押されていないので、可動刃１６は固定刃１５に対して所定角度開いている。
【００２０】
次に、誤って蓋カバー体６を開いたときに、ユーザがテープカッタ装置７を作動させることができないようにする構成について説明する。前記蓋カバー体６には、当該蓋カバー体６を閉じた状態では前記押し操作ボタン７ａを可動でき、蓋カバー体６を開いた状態では押し操作ボタン７ａの移動を阻止する規制体２２を設けるのである。その実施形態では、前記蓋カバー体６は、その後端の左右両側から突出する支持アーム２０（図４で一方のみ示す）の自由端をケース本体１ａの左右両側後端部の回動支点２１を中心にして開閉回動できるように構成されており、前記テープカッタ装置７に近い側の支持アーム２０の外面に、ブロック状の規制体２２を一体的に突出形成する。他方、前記テープカッタ装置７における合成樹脂製等の押し操作ボタン７ａは、その内側（支持アーム２０の外側面に対峙する側）に下向き開放状の凹所２３を形成し、押し操作ボタン７ａの後端側に支柱部２４を備える。そして、前記規制体２２の形状及び配置位置は、前記蓋カバー体６を閉じた状態では、前記押し操作ボタン７ａにおける凹所２３内に嵌まり得るように前位置にあり（図２、図６（ａ）及び図６（ｂ）参照）、蓋カバー体６を開いた状態では、押し操作ボタン７ａにおける支柱部２４の下端と対峙するように後側に位置させて、押し操作ボタン７ａの下降移動を阻止するように設定されている（図３、図５（ａ）及び図５（ｂ）参照）。
【００２１】
この構成により、ユーザがテープカセット５を交換する等、いかなる場合であっても、蓋カバー体６を上向きに開くと（図５（ａ）及び図５（ｂ）参照）、この蓋カバー体６の回動と一体的に姿勢及び位置が変動して（後側で立ち上がる）規制体２２の上面が押し操作ボタン７ａにおける支柱部２４の下端と対峙することになり、ユーザが誤って押し操作ボタン７ａを押しても、支柱部２４の下端が規制体２２に当接して押し操作ボタン７ａを下降動させることできず、可動刃１６が動かないから、ユーザが誤って指をテープカッタ装置７に触れた状態で押し操作ボタン７ａを押してもユーザの指が固定刃１５と可動刃１６に挟まれることがない。
【００２２】
他方、蓋カバー体６がケース本体１ａのカセット収納部８の上面を覆うように閉じた状態では、ユーザが押し操作ボタン７ａを押すと、規制体２２が押し操作ボタン７ａの凹所２３内に嵌まり込むので、押し操作ボタン７ａは下降動し、作動レバー１９を介して可動刃１６が固定刃１５にかみ合って印字テープＴを確実に切断することができる。この状態では蓋カバー体６にて可動刃１６と固定刃１５との箇所が覆われているから、ユーザはテープカッタ装置７に触れることが不可能であり、指を挟む心配も無いのである。
【００２３】
そして、前記蓋カバー体６を合成樹脂材にて射出形成する場合に、規制体２２を一体成形すれば、製造コストを大幅に低減できるという効果を奏する。
【００２４】
なお、前記実施形態では鋏状のテープカッタ装置であったが、固定刃に対して可動刃を押切状に移動する型式とかロータリ式の刃物で印字テープＴを切断するタイプのものにも適用できる。本発明は前記実施形態に限定されるものではなく、本発明の要旨を逸脱しない範囲内で種々の改良、変形が可能であることは勿論である。
【００２５】
【発明の効果】
以上に説明したように、請求項１に記載の発明のテープ印字装置は、ケース本体内に、収納した印字テープが巻回されたテープカセットを着脱可能に収納する収納部と、テープカセットから印字テープを引き出し搬送する搬送部と、印字部と、前記本体ケースから排出する印字テープを切断するテープカッタ装置とを備える一方、前記ケース本体に連設した蓋カバー体にて、前記テープカセットの収納部を開閉可能に構成してなるテープ印字装置において、前記テープカッタ装置における操作部を、前記蓋カバー体の側面に隣接するように本体ケースの側部に配置し、前記蓋カバー体の後端部には、当該蓋カバー体の開閉回動と一体的に姿勢及び配置位置が変動する規制体が設けられ、前記操作部にはその下面側に開放する凹所と前記操作部の後端側の支柱部とが形成され、前記蓋カバー体を閉じた状態で前記操作部を操作するとき、前記凹所内に前記規制体が嵌まり込んで前記操作部を可動できるように構成され、前記蓋カバー体を開いた状態では、前記規制体は前記操作部における前記支柱部の下端と対峙して、前記操作部の下降移動を阻止するように構成されているものであるから、ユーザがテープカセットを交換する等、いかなる場合であっても、蓋カバー体を開くと、当該蓋カバー体の回動と一体的に姿勢及び位置が変動して規制体が操作部の下降動を阻止することができるので、テープカッタ装置に指を触れた状態でユーザが誤って操作部を押しても、テープカッタ装置が動作せずユーザの指が刃部に挟まれることがなく安全であるという効果を奏する。
【００２６】
そして、請求項２に記載の発明では、前記テープカッタ装置が前記本体ケースにおける印字テープの排出口の近傍に配置され、固定刃と、この固定刃に対して接離する鋏状の可動刃と、この可動刃を作動させる前記操作部とにより構成し、前記操作部は前記可動刃を作動させる作動レバーに装着されているものであるから、前述のようにユーザが誤って操作部を押しても規制体にて移動が阻止され、作動レバーが動かないので、鋏状のテープカッタ装置であっても安全性を確保できるという効果を奏する。
【００２７】
また、請求項１に記載の発明では、前記操作部にはその下面側に開放する凹所と前記操作部の後端側の支柱部とが形成され、前記蓋カバー体を閉じた状態で前記操作部を操作するとき、前記凹所内に前記規制体が嵌まり込むように構成されているものであるから、規制体が蓋カバー体の側面に配置されていても、嵩張らず、且つ邪魔にならないという効果を奏する。
【００２８】
さらに、請求項３に記載の発明では、前記規制体と蓋カバー体とを一体的に形成したものであるから、請求項１または２に記載の発明による効果に加えて、製造コストを低減できると共に組み立て等の手間も省けるという効果を奏する。
【図面の簡単な説明】
【図１】カセット収納部の蓋カバー体を閉じて示すテープ印字装置の平面図である。
【図２】テープ印字装置の左側面図である。
【図３】蓋カバー体を開いた状態のテープ印字装置の一部左側面図である。
【図４】テープカッタ装置の押し操作ボタンを断面で示すテープ印字装置の一部背面図である。
【図５】（ａ）は蓋カバー体を開いた状態の押し操作ボタンと規制体との配置関係を示す要部平面図、（ｂ）は要部側面図である。
【図６】（ａ）は蓋カバー体を閉じた状態の押し操作ボタンと規制体との配置関係を示す要部平面図、（ｂ）は要部側面図である。
【符号の説明】
１    テープ印字装置
１ａ    ケース本体
５    テープカセット
６    蓋カバー体
７    テープカッタ装置
７ａ    操作部としての押し操作ボタン
８    カセット収納部
１５    固定刃
１６    可動刃
１９    作動レバー
２０    支持アーム
２１    回動支点
２２    規制体
２３    凹所
２４    支柱部
Ｔ      印字テープ
【図１】
0004573012.tif 000002
【図２】
0004573012.tif 000003
【図３】
0004573012.tif 000004
【図４】
0004573012.tif 000005
【図５】
0004573012.tif 000006
【図６】
0004573012.tif 000007